(57)【特許請求の範囲】
【請求項１】
開口部が開けられ、配線パターンを含むフィルム状回路基板と、
前記開口部を通して結像レンズからの光を受光する受光面を含み、前記フィルム状回路基板に配置された撮像素子と、
前記撮像素子が配置される側と反対側の面において前記フィルム状回路基板の開口部を封止する透光性板と、
前記撮像素子と前記透光性板との間の距離を、所定値以上に確保する、前記受光面以外の領域の開口部において、当該撮像素子と透光性板との間に設けられたスペーサ手段とを備える、撮像装置。
【請求項２】
前記フィルム状回路基板が、フレキシブルプリント基板である、請求項１に記載の撮像装置。
【請求項３】
前記スペーサ手段がゴム弾性体である、請求項１または２に記載の撮像装置。
【請求項４】
前記透光性板は、前記受光面以外の領域の開口部において、前記撮像素子に対向する面の側に凸に一体成形で形成されている平坦な増厚部を有し、当該増厚部は前記撮像素子の前記受光面以外の領域に接している、請求項１〜３のいずれかに記載の撮像装置。
【請求項５】
前記撮像素子と、前記フィルム状回路基板と、前記透光性板との集合体である受光集合体が、封止樹脂により封止され一体化されている、請求項１〜４のいずれかに記載の撮像装置。
【請求項６】
前記封止樹脂は、前記受光集合体の側周部を封止し、前記撮像素子の後面は補強プレートに固定されている、請求項５に記載の撮像装置。
【請求項７】
前記補強プレートには貫通孔が開けられ、前記撮像素子の後面と前記補強プレートとは、前記貫通孔に装入された接着剤によって互いに接着されている、請求項６に記載の撮像装置。
【請求項８】
前記補強プレートには、前記撮像素子の面側に凹の平坦な減肉部が設けられ、前記減肉部とそれ以外の領域との間で形成される段差部は、一定方向に延びる壁を有し、前記撮像素子は前記壁に接して前記減肉部の上に配置されている、請求項６または７に記載の撮像装置。
【請求項９】
前記撮像装置には、結像レンズを保持するレンズマウントの配置を決めるレンズマウント位置決め構造が備えられている、請求項１〜４のいずれかに記載の撮像装置。
【請求項１０】
前記撮像装置には、結像レンズを保持するレンズマウントの配置を決めるレンズマウント位置決め構造が備えられている、請求項５に記載の撮像装置。
【請求項１１】
前記撮像装置には、結像レンズを保持するレンズマウントの配置を決めるレンズマウント位置決め構造が備えられている、請求項６〜８のいずれかに記載の撮像装置。
【請求項１２】
前記レンズマウント位置決め構造は、前記補強プレートに設けられたレンズマウント位置決め部と、前記レンズマウントの前記補強プレートへの当接部に設けられた位置決め部とによって構成される、請求項１１に記載の撮像装置。
【請求項１３】
前記レンズマウント位置決め構造は、前記封止樹脂に設けられたレンズマウント位置決め部と、前記レンズマウントの前記封止樹脂への当接部に設けられた位置決め部とによって構成される、請求項１０または１１に記載の撮像装置。
【請求項１４】
前記レンズマウントは、前記位置決め部の一部において、前記透光性板と当接し、当該透光性板を間にはさんで前記フィルム状回路基板と対向している、請求項１３に記載の撮像装置。
【請求項１５】
前記請求項１〜１４のいずれかに記載の撮像装置が搭載された製品であって、外部の光が結像レンズを通り前記受光面に受光されるように配置された、撮像装置搭載製品。
【請求項１６】
前記フィルム状回路基板のインターフェース端子が、製品に配置された製品基板のコネクタに、前記フィルム状回路基板を撓（たわ）ませた状態で接続されている、請求項１５に記載の撮像装置搭載製品。
【請求項１７】
製品に配置された製品基板に撮像装置取付部を備え、前記撮像装置はその撮像装置取付部に取り付けられる取付部を備える、請求項１５または１６に記載の撮像装置搭載製品。
【請求項１８】
前記請求項６〜８、１１、１２のいずれかに記載の撮像装置が搭載された製品であって、製品に配置された製品基板に撮像装置取付部を備え、前記撮像装置はその撮像装置取付部に取り付けられる取付部を備え、前記撮像装置取付部が前記製品基板に固定された突出部であり、前記取付部が前記補強プレートに設けられたその突出部が嵌め入れられる取付孔である、撮像装置搭載製品。
【請求項１９】
前記請求項６〜８、１１、１２のいずれかに記載の撮像装置が搭載された製品であって、製品に配置された製品基板に撮像装置取付部を備え、前記撮像装置はその撮像装置取付部に取り付けられる取付部を備え、前記撮像装置取付部が、撮像装置係止部を有する前記製品基板に固定された撮像装置収納ホルダであり、前記取付部が前記補強プレートから突き出して設けられた係止爪である、撮像装置搭載製品。
【請求項２０】
前記請求項５〜８、１０〜１４のいずれかに記載の撮像装置が搭載された製品であって、製品に配置された製品基板に撮像装置取付部を備え、前記撮像装置はその撮像装置取付部に取り付けられる取付部を備え、前記撮像装置取付部が、前記製品基板に設けられた凹部であり、前記取付部が前記封止樹脂に一体成形で設けられた、前記凹部に嵌め入れられる突出部である、撮像装置搭載製品。
【請求項２１】
前記撮像装置搭載製品が、その撮像装置を搭載した携帯電話機である、請求項１５〜２０のいずれかに記載の撮像装置搭載製品。
【請求項２２】
配線パターンを有するフィルム状回路基板に開口部を開口する工程と、
前記フィルム状回路基板を挟むように撮像素子と透光性板とを配置し、その撮像素子と透光性板との間の距離を所定値以上に確保するスペーサ手段をその撮像素子と透光性板との間に介在させて、前記フィルム状回路基板の開口部を塞いで透光性板を当該フィルム状回路基板に接着する工程とを備える、撮像装置の製造方法。
【発明の詳細な説明】
【０００１】
【発明の属する技術分野】
本発明は、撮像装置および撮像装置搭載製品、ならびに撮像装置の製造方法に関し、より特定的には、製造手順や取扱いが簡明な、薄型の撮像装置および撮像装置搭載製品ならびに撮像装置の製造方法に関する。
【０００２】
【従来の技術】
従来の撮像装置では、撮像素子が基板上にダイボンドされ、撮像素子の入出力端子と外部電極とはワイヤボンディングにより接続されていた。また、ワイヤボンディングにおけるワイヤを収容する高さの空間を確保して透光性板が封止されていた。このため、平面的なサイズおよび厚みの両方において、小型化は限定的であった。一方、カメラや携帯電話機等に搭載される撮像装置では、平面的なサイズの小型化と薄型化とが実現すれば、携行に便利になり商品価値がいちじるしく向上する。このため、近年、上記の構造を改良して小型化および薄型化をはかった撮像装置が相次いで商品化されている。
【０００３】
例えば、図４３は、そのような小型化および薄型化をはかった従来の撮像装置の一例である（特開平５−２６０３９３号公報）。図４３は正面図であり、図４４は、図４３におけるＩＶ−ＩＶ断面図である。図４３および図４４において、ガラス基板１０３の上に配線層１３１ｂが被着形成されている。この配線の端子１３１ｃと、撮像素子１０２の入出力端子の上に設けられたバンプ１０４とが接続される。これらの受光集合体は、封止樹脂１０９によって封止されている。ガラス基板１０３の端から、さらに封止樹脂の外にまで延ばされた配線１３１ｂの端子は、別に用意されたフレキシブル配線基板１０１の配線１０１ｂに接続されている。上記の構造によれば、ワイヤボンディングは省略され、その結果、平面的な小型化も、また薄型化も実現することができる。なお、上記の構造では、ガラス基板１０３と撮像素子１０２前面とがあまり近接しすぎるとモアレ等が発生しやすくなるので、これを防止するために、撮像素子の受光領域１３１ａに回折格子１４８が形成されている。
【０００４】
また、図４５および図４６は、従来の他の改善例を示す図である（特開平７−９９２１４号公報）。図４５および図４６によれば、ガラス基板１０３には、絶縁シート１０１ｃに銅リード１０１ｂが並列して配置されたＴＡＢテープ１０１が、接着剤１１１によって接着されている。また、撮像素子によって光学情報から変換された電気信号の伝達のために、この銅リード１０１ｂの端子の上に形成されたバンプ１０４と、撮像素子１０２の入出力端子１０２ｂとが接続されている。この接続には、異方性導電膜（ＡＣＦ：Ａｎｉｓｏｔｒｏｐｉｃ  Ｃｏｎｄｕｃｔｉｖｅ  Ｆｉｌｍ）１０５が用いられ、所定の接続部以外の箇所で短絡が生じないようにされている。この接続部の周囲は、封止樹脂１０９によって封止されている。撮像素子の各画素に対応して、通常、マイクロレンズ１１５が配置される。ＴＡＢテープの開口部１０１ａを通り撮像素子に入射された光は、撮像素子によって光学情報から電気信号に変換され、上記接続部を経て外部回路に伝えられる。このような構造により、小型化および薄型化が達成される。
【０００５】
【発明が解決しようとする課題】
しかしながら、上記特開平５−２６０３９３号公報の撮像装置によれば、ガラス基板上に配線パターンを被着等などして形成する必要がある。通常、ガラス基板に微細間隔の配線パターンを形成するには特殊な設備が必要であり、容易ではない。また、撮像設備の製造工程では、ガラス基板上に配置された配線パターンと撮像装置の入出力端子部を精度良く配置する必要がある。しかし、高精度実装装置での実装動作において、装置との接触が生じ、被着形成された配線パターンが欠損、消失してしまう場合があった。このため、通常のガラス板には不必要であった取扱上の注意が必要とされ、生産能率を低下させ、かつ製造工程での廃棄率を増加させていた。さらに、撮像装置が搭載される製品との電気的接続は、上記撮像素子の入出力回路部分から、別に用意されたフレキシブル配線基板等により中継させて行う必要があった。
【０００６】
一方、特開平７−９９２１４号公報に記載の撮像素子では、ＴＡＢテープを用いるが、このＴＡＢテープは、絶縁シートの上にリード部が接着された構造を有している。通常、ＴＡＢテープでは、フレキシブル配線基板等に比べると、リード幅、およびリード幅間の空間部の狭間隔化において劣り、また、回路パターンの多層化も困難である。このため、撮像装置おける回路パターンとして、高密度化に限界があり、撮像装置の小型化等を遂行しにくいという問題があった。さらに、ＴＡＢテープでは、フレキシブル基板と比べると柔軟性に欠け、例えば、携帯電話機への搭載において筐体外部の光を結像レンズを通して受光面に受光させる配置をとった上で、上記リード部と製品基板に配置されたコネクタとを接続する際、コネクタの配置に自由度を持たせにくい。携帯電話機などの製品では、コネクタの配置などに自由度を持たせたほうが部品の高密度搭載という点で有利である。このため、製造手順や取扱いが簡明で、製品への搭載時に柔軟性のあるコネクタ配置をとることができる薄型撮像装置が求められていた。
【０００７】
そこで、本発明は、製造手順や取扱いが簡明な、薄型化、小型化をはかった撮像装置および撮像装置搭載製品、特に携帯電話機、ならびに撮像装置の製造方法を提供することを目的とする。
【０００８】
【課題を解決するための手段】
本発明の第１の局面の撮像装置は、開口部が開けられ、配線パターンを含むフィルム状回路基板と、開口部を通して結像レンズからの光を受光する受光面を含み、フィルム状回路基板に配置された撮像素子と、撮像素子が配置される側と反対側の面においてフィルム状回路基板の開口部を封止する透光性板と、撮像素子と透光性板との間の距離を、所定値以上に確保する、受光面以外の領域の開口部において、当該撮像素子と透光性板との間に設けられたスペーサ手段とを備える（請求項１）。
【０００９】
この構成により、透光性板に回路パターンを設ける等の特別な工程を設けることなく、簡明な手順で撮像装置を製造することができる。（ａ）透光性板と、（ｂ）フィルム状回路基板と、（ｃ）撮像素子と、を主要部材として構成される受光機能を分担する受光集合体は、外部からの異物混入、吸湿などに対して、特別な封止技術を用いることなく、簡便に封止することができる。また、上記の構成により、薄型の撮像装置を容易に得ることが可能となる。撮像素子の受光面と透光性板との距離は、良好な結像のために、所定値以上で、かつ、ばらつかないことが必要である。フィルム状回路基板を用いＦＣＢ方式で実装する場合、上記距離は、(a)バンプ高さ、(b)ＡＣＦ厚み、(c)透光性板をフィルム状回路基板に接着する接着剤厚み、のそれぞれのばらつきの影響を受ける。しかし、上記スペーサ手段により上記のばらつき要因を排除することができ、スペーサ手段によって決められる所定値以上の一定の距離を確保することが可能となる。具体的には、受光面で受光する光線を遮ることなく、少し大きめの開口部を設け、スペーサ部品をそこに配置することにより、簡便にばらつきを排して上記一定距離を確保することができる。また、通常、２点以上で接するように配置するので、透光性板と撮像素子との間に精度良く平行性を確保することができる。フィルム状回路基板への撮像素子の実装はフェースダウンで行われ、例えばＦＣＢ（Flip Chip Bonding)方式により行うことができる。すなわち、撮像素子の入出力端子の上に形成されたバンプと、フィルム状回路基板の配線の端子であるランド部とが接続される。この接続には、例えば、異方性導電膜（ACF:Anisotropic Conductive Film)等を用いて上記バンプとランド部とのみが接続され、他の部分では短絡が生じないようにする。なお、透光性板には、表面に赤外光等の特定波長の光線の入光を遮断するためのフィルタ機能や、光線の透過率を向上するための機能が、蒸着等により形成されていてもよい。
【００１０】
上記第１の局面の撮像装置では、フィルム状回路基板が、フレキシブルプリント基板である（請求項２）。
【００１１】
フレキシブルプリント基板は撓（たわ）みやすい。このため、１つの製品内でインターフェース端子と接続するコネクタの位置の配置をフィルム状回路基板の平面的な最短距離の位置に相当する１つの位置に限定する必要がない。フレキシブルプリント基板の上記最短距離の長さよりも短い長さに相当する位置に上記コネクタを配置しておけば、フレキシブル回路基板を撓（たわ）ませて、接続を行うことができる。このため、１つの製品内でインターフェース端子と接続するコネクタの位置の配置の自由度を増やすことができるので、コネクタの配置を小型化に最も適した配置とすることが可能となる。さらに、数種の製品に搭載する際、数種の製品に共通に長いめの撮像装置により対処して、部品点数を減らし、製品価格を低減することができる。
【００１４】
上記第１の局面の撮像装置では、スペーサ部品がゴム弾性体である（請求項３）。
【００１５】
この構成によりゴム弾性体の高さにより、上記の距離が決められるので、接着剤厚みのばらつきに左右されずに、生産において上記一定距離を有する撮像装置を安定して得ることができる。ゴム弾性体は、受光面を囲んで枠状に配置されてもよいし、数列にわたって列状に配置されてもよい。
【００１６】
上記第１の局面の撮像装置では、透光性板は、受光面以外の領域の開口部において、撮像素子に対向する面の側に凸に一体成形で形成されている平坦な増厚部を有し、当該増厚部は撮像素子の受光面以外の領域に接している（請求項４）。
【００１７】
この構成により、部品点数を増やさず、製造工程を簡略化することができる。また、上記透光性板はフィルム状回路基板とのみ接着され、上記増厚部は受光面以外の撮像素子の前面に当接するだけなので、他の部分の接着剤の厚みを考慮しなくてもよい。
【００１８】
上記第１の局面の撮像装置では、撮像素子と、フィルム状回路基板と、透光性板との集合体である受光集合体が、封止樹脂により封止され一体化されている（請求項５）。
【００１９】
この構成により、受光集合体における封止機能が向上するとともに、この受光集合体の一体化の程度が向上する。このため、例えば、ＦＣＢ実装におけるＡＣＦおよび透光性板のフィルム状回路基板への接着を仮接着とすることができる。この結果、これら仮接着における接着剤の選択の自由度を高めることができる。さらに、上記の封止樹脂を遮光性のものにすれば、透光性板の側面からの不要な外光の入射を遮断することができるので、撮像装置の光学的性能を向上させることが可能となる。
【００２０】
上記第１の局面の撮像装置では、封止樹脂は、上記受光集合体の側周部を封止し、撮像素子の後面は補強プレートに固定されている（請求項６）。
【００２１】
上記の封止樹脂の形成は、例えばモールド成形法などにより行うことができる。この場合、成形金型内での撮像装置の基準として、透光性板表面と撮像素子後面との２つにすることができる。このため、成形金型内での撮像装置のがたつきを低減でき、封止樹脂と撮像装置との相対位置のばらつきを軽減することができる。また、撮像装置の薄型化をさらに推進することが可能となる。また、補強プレートの採用により、フィルム状回路基板の強度、剛性、耐久性等を高めることが可能となる。
【００２２】
上記第１の局面の撮像装置では、補強プレートには貫通孔が開けられ、撮像素子の後面と補強プレートとは、貫通孔に装入された接着剤によって互いに接着されている（請求項７）。
【００２３】
この構成により、撮像素子と補強プレートとの間に接着剤が介在して、そのばらつきにより、撮像素子の高さのばらつきを防止することができる。また、上記介在がないので、薄型化にも寄与する。また、撮像装置後面から接着剤に光を当てることが可能になるので、接着剤に紫外線硬化剤を使用することができる。この結果、接着剤の硬化時間等を短縮することができ、製造コストを低減することが可能となる。
【００２４】
上記第１の局面の撮像装置では、補強プレートには、撮像素子の面側に凹の平坦な減肉部が設けられ、減肉部とそれ以外の領域との間で形成される段差部は、一定方向に延びる壁を有し、撮像素子はその壁に接して減肉部の上に配置されている（請求項８）。
【００２５】
撮像素子の側面は、撮像素子がウエハから個片化されるダイシング工程において、高精度で面出しがなされている。撮像素子を減肉部の上をスライドさせて、この側面を上記の壁に当接させることにより、撮像装置を補強板上に精度良く組み立てることができる。
【００２６】
上記第１の局面の撮像装置では、撮像装置に、結像レンズを保持するレンズマウントの配置を決めるレンズマウント位置決め構造が備えられている（請求項９、１０、１１）。
【００２７】
この構成により、結像レンズと透光性板と受光面との相対的位置関係を、高精度で再現性良く簡便に配置して組み立てることができ、高表示品位の画面を得ることが可能となる。
【００２８】
上記第１の局面の撮像装置では、レンズマウント位置決め構造は、補強プレートに設けられたレンズマウント位置決め部と、レンズマウントの補強プレートへの当接部に設けられた位置決め部とによって構成されている（請求項１２）。
【００２９】
この構成により、簡便に精度良く、結像レンズを受光面の上方に位置合わせすることができる。
上記第１の局面の撮像装置では、レンズマウント位置決め構造は、封止樹脂に設けられたレンズマウント位置決め部と、レンズマウントの封止樹脂への当接部に設けられた位置決め部とによって構成されている（請求項１３）。
【００３０】
上記構成により、レンズマウントと受光集合体との相対位置の精度を出して、簡便に組み立てることができる。
【００３１】
上記第１の局面の撮像装置では、レンズマウントは、位置決め係止部の一部において、透光性板と当接し、当該透光性板を間にはさんでフィルム状回路基板と対向している（請求項１４）。
【００３２】
この構成により、結像レンズと透光性板前面までの間隔を、高精度で、再現性良く組み立てることが可能となる。また、レンズマウントと受光集合体との相対位置の精度を出して、簡便に組み立てることができることは、言うまでもない。
【００３３】
本発明の撮像装置搭載製品は、上記第１の局面のいずれかの撮像装置が搭載された製品であって、外部の光が結像レンズを通り前記受光面に受光されるように配置されている（請求項１５）。
【００３４】
上記の構成の製品では、簡明な製造工程によって製造された薄型の撮像装置を、その配置において簡便に再現性良く高精度で搭載することが可能である。
【００３５】
本発明の撮像装置搭載製品では、上記第１の局面のいずれかの撮像装置が搭載され、フィルム状回路基板のインターフェース端子が、製品に配置された製品基板のコネクタに、フィルム状回路基板を撓（たわ）ませた状態で接続されている（請求項１６）。
【００３６】
フィルム状回路基板は、一般に、撓（たわ）みやすい。このため、１つの製品内でインターフェース端子と接続するコネクタの位置の配置をフィルム状回路基板の平面的な最短距離に相当する１つの位置に限定する必要がない。フィルム状回路基板の上記最短距離よりも短い長さに相当する位置に上記コネクタを配置しておけば、フィルム状回路基板を撓（たわ）ませて、接続を行うことができる。このため、コネクタの配置の自由度が増し、小型化に最も適した配置とすることなどが可能となる。さらに、数種の製品に搭載する際、数種の製品に共通に長いめの撮像装置により対処して、部品点数を減らし、製品価格を低減することができる。
【００３７】
本発明の撮像装置搭載製品では、上記第１の局面のいずれかの撮像装置が搭載され、製品に配置された製品基板に撮像装置取付部を備え、撮像装置はその撮像装置取付部に取り付けられる取付部を備えている（請求項１７）。
【００３８】
この構成により、最も望ましい位置に撮像装置を高精度で再現性良く簡便に配置することができる。
【００３９】
本発明の撮像装置搭載製品では、上記請求項６〜８、１１、１２のいずれかに記載の撮像装置が搭載された製品であって、製品に配置された製品基板に撮像装置取付部を備え、撮像装置はその撮像装置取付部に取り付けられる取付部を備え、撮像装置取付部が製品基板に固定された突出部であり、取付部が補強プレートに設けられたその突出部が嵌め入れられる取付孔である（請求項１８）。
【００４０】
この構成の採用により、撮像装置の製品への搭載が容易になる。また、撮像装置を表面実装する必要がなくなり、例えば、はんだ実装のように撮像装置が高温にさらされることがなくなる。このため、撮像装置の構成部品選定の自由度が広がり、安価なプラスチックレンズ等も対象とすることができる。
【００４１】
本発明の撮像装置搭載製品では、上記請求項６〜８、１１、１２のいずれかに記載の撮像装置が搭載された製品であって、製品に配置された製品基板に撮像装置取付部を備え、撮像装置はその撮像装置取付部に取り付けられる取付部を備え、撮像装置取付部が、撮像装置係止部を有する製品基板に固定された撮像装置収納ホルダであり、取付部が補強プレートから突き出して設けられた係止爪である（請求項１９）。
【００４２】
上記の構造により、撮像装置ホルダに複雑な成形加工を施さなくても簡便に撮像装置取付部を得ることができる。撮像装置の製品への配置は再現性良く行うことができる。
【００４３】
本発明の撮像装置搭載製品では、上記請求項５〜８、１０〜１４のいずれかに記載の撮像装置が搭載された製品であって、製品に配置された製品基板に撮像装置取付部を備え、撮像装置はその撮像装置取付部に取り付けられる取付部を備え、撮像装置取付部が、製品基板に設けられた凹部であり、取付部が封止樹脂に一体成形で設けられた、凹部に嵌め入れられる突出部である（請求項２０）。
【００４４】
上記の簡明な構造により、撮像装置を携帯電話機の所定の位置に簡便に組み立てることができる。
【００４５】
上記のいずれかの撮像装置搭載製品では、その製品が携帯電話機である（請求項２１）。
【００４６】
上記の携帯電話機は、簡明な製造工程を経て製造された薄型の撮像装置を搭載することにより、小型化した携帯電話機となっている。また、撮像装置の配置は、簡便な構造により再現性良く高精度で行うことができるので、高表示品位の画面を得ることが可能となる。
【００４７】
本発明の第１の局面の撮像装置の製造方法は、配線パターンを有するフィルム状回路基板に開口部を開口する工程と、フィルム状回路基板を挟むように撮像素子と透光性板とを配置し、その撮像素子と透光性板との間の距離を所定値以上に確保するスペーサ手段をその撮像素子と透光性板との間に介在させて、フィルム状回路基板の開口部を塞いで透光性板を当該フィルム状回路基板に接着する工程とを備える（請求項２２）。
【００４８】
通常、フィルム状回路基板は、それ自体で基板を支持する剛性がないので、製造工程におけるハンドリング、装置間の搬送等が容易になり、ハンドリングミスや搬送トラブルに起因する不良率を減少させることができる。また、予め、透光性板とフィルム状回路基板とが接着剤により接着されているので、その接着剤の硬化時に発生するガス成分が撮像装置内に混入することを避けることができる。このため、接着剤選定の自由度を広げることが可能となる。また、撮像素子の受光面と透光性板との距離は、良好な結像のために、所定値以上で、かつ、ばらつかないことが必要である。フィルム状回路基板を用いＦＣＢ方式で実装する場合、上記距離は、(a)バンプ高さ、(b)ＡＣＦ厚み、(c)透光性板をフィルム状回路基板に接着する接着剤厚み、のそれぞれのばらつきの影響を受ける。しかし、上記スペーサ手段により上記のばらつき要因を排除することができ、スペーサ手段によって決められる所定値以上の一定の距離を確保することが可能となる。具体的には、受光面で受光する光線を遮ることなく、少し大きめの開口部を設け、スペーサ部品をそこに配置することにより、簡便にばらつきを排して上記一定距離を確保することができる。また、通常、２点以上で接するように配置するので、透光性板と撮像素子との間に精度良く平行性を確保することができる。
【００４９】
【発明の実施の形態】
次に、図面を用いて本発明の実施の形態について説明する。
【００５０】
（実施の形態１）
図１は、本実施の形態における撮像装置を示す図である。（ａ）は正面図を、また（ｂ）は縦断面図を示す。フィルム状回路基板１の前面側には透光性板３が配置され、後面側には受光面２ａを有する撮像素子２が配置されている。また、図２（ａ）は、上記フィルム状回路基板の正面図であり、図２（ｂ）は、撮像素子の正面図である。フィルム状回路基板は半透明なので、後面に配置された配線パターンを正面から見ることができる。フィルム状回路基板１には、開口部１ａが開けられ、その開口部の上部および２つの側部は外枠部によって囲まれている。２つの側方の外枠部には、配線の端子であるランド部１ｂを含む配線パターンが配置されている。上記開口部の下方には信号の入出力のためのインターフェース部１ｃが設けられており、上記の配線は、側方の外枠部からインターフェース部１ｃに向かって延びている。また、撮像素子２には、受光面２ａが設けられ、受光面によって受光された光学情報を電気信号に変化させる。この電気信号をインターフェース部に送り出すための入出力端子２ｂが、フィルム状回路基板のランド部に対応する位置に配列されている。
【００５１】
図３は、フィルム状回路基板１に撮像素子２をフェースダウンで実装した状態の正面図である。実装の際、撮像素子２の入出力端子部２ｂと、フィルム状回路基板のランド部１ｂとは、ＦＣＢ（Ｆｌｉｐ  Ｃｈｉｐ  Ｂｏｎｄｉｎｇ）などによって電気的に接続され、実装される。この接続には、撮像素子の入出力端子の上にバンプを設け、異方性導電膜（ＡＣＦ：Ａｎｉｓｏｔｒｏｐｉｃ  Ｃｏｎｄｕｃｔｉｖｅ  Ｆｉｌｌｅｒ）を用いるのがよい。フィルム状回路基板１の開口部１ａは、平面的に見て、受光面２ａを含むように、充分大きいサイズとされている。
【００５２】
図４は、図１（ａ）におけるＩＶ−ＩＶ断面図である。フィルム状回路基板１と透光性板３とは、両者の間に介在する接着剤６によって接着されている。また、フィルム状回路基板１への撮像素子２の実装においては、撮像素子２の入出力端子２ｂの上にバンプ４が形成され、そのバンプ４とランド部（図示せず）とが異方性導電シート（ＡＣＦ）５を用いて接続されている。
【００５３】
本実施の形態における撮像装置では、透光性板３の前方に配置された結像レンズ（図示せず）によって被写体の光学情報が透光性板３および開口部１ａを通過して受光面２ａ上に結像され、電気信号に変換され出力される。本実施の形態の撮像装置では、透光性板に回路パターンを設けるなどの特殊な技術を用いる必要がない。また、銅リードなどの配線が露出している状態のＴＡＢテープなどを取扱う必要がない。配線パターンは、その端子であるランド部も含めて、フィルム状回路基板に一体的に組み込まれて配置されている。したがって、受光集合体の組み立て等において、フィルム状回路基板等の取扱いを能率的に簡明に行うことができる。本撮像装置における受光集合体は、フィルム状回路基板１と、撮像素子２と、透光性板３とを準備して、それら各部材間に接合部を設けることにより簡便に形成される。その受光集合体では、内部を外部からの吸湿、異物浸入などに対して簡便に封止することができる。また、薄型化した受光集合体を容易に得ることができる。なお、透光性板は、表面に赤外光等の特定波長の光線の入光を遮断するためのフィルタ機能、または光線の透過率を向上させるための機能を、蒸着等の方法で形成してもよい。
【００５４】
（実施の形態２）
本実施の形態は、前述した実施の形態１の撮像装置の製造方法に関するものである。本実施の形態における製造方法の特徴は、図５に示すように、フレキシブルプリント基板等のフィルム状回路基板１に、予め、透光性板３を接着一体化して組み立てることにある。図５（ａ）は、透光性板３が予め接着されたフレキシブルプリント基板の正面図であり、図５（ｂ）は、その縦断面図である。フレキシブルプリント基板１は薄いために、基板それ自体では自らを支持する剛性がない。このため、製造組み立て工程でのハンドリング、および撮像装置に組み上げた後の搬送において、フレキシブルプリント基板の把握が不安定になる等の問題があった。本実施の形態における製造方法によれば、図５（ａ）に示すように、フィルム状回路基板は透光性板の高い剛性によって補強され、その後で、例えば図６に示すように、撮像素子がフェースダウンで実装される。このため、工程内でのハンドリングおよび撮像装置に組み上げた後の搬送が容易となり、ハンドリングミス、搬送不良等による製造工程内での不良率を低減することができる。また、透光性板とフィルム状回路基板とが接着剤により一体化されるので、その接着剤の硬化工程で発生するガス成分が撮像装置内に混入することを避けることができる。この結果、撮像装置を設計する際、接着剤の選択の自由度を広げることが可能となる。
【００５５】
（実施の形態３）
図７は、本実施の形態における撮像装置の正面図である。フィルム状回路基板１は、ベースフィルムが半透明なので、後面に配置された配線やランド部が前方から見ることができる。また、図８（ａ）は、図７に示す撮像装置から透光性板３を除いた状態における正面図である。また、図８（ｂ）は、透光性板の正面図である。実施の形態１の図面と同じ番号を付した部材は、本実施の形態でも同じ部材である。本実施の形態の特徴は、撮像素子２の上の受光面２ａの周囲にゴム弾性体７を配置したことにある。ゴム弾性体７は、撮像素子２の受光面２ａの周縁上であって、フィルム状回路基板１の開口部１ａの範囲内に配置される。このため、受光面２ａの受光性能を妨げることなく、透光性板後面と撮像素子前面との間隔、すなわち透光性板後面と受光面との間隔を一定に保つことができる。上記のゴム弾性体は、上記間隔を所定値にするスペーサを解することができる。上記ゴム弾性体は、通常、液状のシリコーンゴム材料をディスペンサ装置などにより配置し、その後、加熱することにより硬化させてゴム弾性体とすることができる。
【００５６】
図９は、図７におけるＩＸ−ＩＸ断面図である。同図に示すように、透光性板３は、ゴム弾性体７によって支持された状態で、接着剤６によりフィルム状回路基板と接着一体化される。実施の形態１に示した撮像装置では、透光性板３と受光面２ａとの間隔は、ＦＣＢ法に基いて、バンプ高さと、ＡＣＦ厚みと、透光性板接着剤の厚みとにおけるばらつきの影響を受ける。しかし、本実施の形態では、ゴム弾性体の高さにより、透光性板後面と撮像素子前面との間隔、または透光性板後面と受光面との間隔が決められる。このため、前述の各接着部のばらつきを考慮することなく、安定した品質の撮像装置を容易に製造することができる。なお、図１０に示すように、ゴム弾性体の位置を撮像素子の受光面の周縁部に配置せず、その他の撮像素子の部分の位置、例えば、処理回路部分の前面に配置してもよい。上記ゴム弾性体は、実施の形態３において説明したように、通常、液状のシリコーンゴム材料をディスペンサ装置などにより配置し、その後、加熱することにより硬化させて製造することができる。
【００５７】
（実施の形態４）
図１１（ａ）は、実施の形態４における撮像装置の正面図である。本実施の形態では、実施の形態３で開示したゴム弾性体の形状および配置を変更している。この変更により、実施の形態３と同様の効果を有しながら、ゴム弾性体の使用量を減らすことができ、製品コストを低減することが可能となる。さらに、図１１（ｂ）に示す図１１（ａ）に類似した例では、受光面の側方の周縁部にゴム弾性体を配置しないので、その分だけ、フィルム状回路基板や撮像素子の幅を低減し、平面的な小型化に寄与することができる。
【００５８】
（実施の形態５）
図１２は、実施の形態５における撮像装置の断面図である。本実施の形態の特徴は、撮像素子２と透光性板３との間にスペーサ部品を配置したことにある。図１３は、図１２の透光性板とスペーサ部材とを引き離して置いた模式図である。同図に示すように、スペーサ部品８は、フィルム状回路基板１の開口部１ａを貫通して、撮像素子２と透光性板３との間に配置される。したがって、その大きさは、開口部１ａより小さい寸法とされている。
【００５９】
次に、図１４により、本実施の形態における撮像装置の製造手順を説明する。図１４（ａ）は、フィルム状回路基板の後面に撮像素子をフェースダウンで実装した状態の正面図である。フィルム状回路基板は半透明なので、後面に配置された、ランド部を含む配線パターンを見ることができる。図１４（ｂ）に示すスペーサ部品８は、図１４（ｃ）に示すように、受光面２ａ以外の撮像素子の前面に接着剤（図示せず）等により固定される。次いで、図１４（ｄ）に示すように、透光性板３が配置され、接着剤（図示せず）により固定される。
【００６０】
上記実施の形態３および４に示すゴム弾性体は、液状のシリコーンゴム材料をディスペンサ装置などにより配置し、加熱することにより硬化させて製造することができた。本実施の形態によれば、スペーサ部品として部品化することができるので、製造工程が簡単になる。また、ゴム弾性体は、上述のような製造方法で製造するので、その高さにばらつきを生じやすい。しかし、本実施の形態では、スペーサ部品の成形精度により安定化することができるので、高精度でスペーサ高さを構成することが可能となる。
【００６１】
（実施の形態６）
図１５は、実施の形態６における撮像装置の受光集合体の断面図であり、また、図１６は、その受光集合体から透光性板を引き離した状態の模式図である。本実施の形態では、実施の形態５におけるスペーサ部品と透光性板３とを一体成形品とした。すなわち、本実施の形態では、透光性板３とスペーサ部品３ａとは、一体化成形されている。図１７は、その透光性板３とスペーサ部品３ａとの一体化成形品を示す。図１７（ａ）は、正面図であり、図１７（ｂ）はその縦断面図である。
【００６２】
図１８は、実施の形態６における撮像装置の製造方法の手順を示す図である。図１８（ａ）は、フィルム状回路基板の後面に撮像素子をフェースダウンで実装した状態の正面図である。また、図１８（ｂ）は上記一体成形部品のスペーサ部（凸部）側から見た正面図である。図１８に示すように、凸部を撮像素子と接触する配置にして、フィルム状回路基板の開口部を封止するように同基板に固定する。
【００６３】
この構成により、透光性板と受光面との距離を高精度で配置し、部品点数を削減することができ、この結果、製造工程が簡略化される。また、フィルム状回路基板に接着剤により接着され一体化され、透光性板と撮像素子との間には接着剤層が介在しない。このため、上記部分への接着層の介在による接着剤厚みのばらつき、および透光性板の位置のばらつきを回避することができる。このため、本撮像装置を安定して製造できるとともに、接着剤の塗布工程、硬化工程を省略でき、また接着剤自体を省略できるので、製造コストを低減することが可能となる。
【００６４】
（実施の形態７）
本実施の形態の撮像装置では、上記実施の形態１〜６における撮像装置の受光集合体の側周部を封止樹脂９により封止している。図１９は、実施の形態７における撮像装置の受光集合体を示す図である。図１９（ａ）は側面図であり、図１９（ｂ）は断面図である。本実施の形態の撮像装置は、実施の形態１〜６に示した撮像装置を樹脂の押出し成形用の型内に配置して、インサート成形することにより製造することができる。
【００６５】
上記側周部への樹脂封止により、透光性板をフィルム状回路基板に接着する封止よりも格段に封止性能を向上させ、撮像素子と、フィルム状回路基板と、透光性板とを確実に一体化できる。このため、フィルム状回路基板への撮像素子のＦＣＢ実装における異方性導電接着（ＡＣＦ）、およびフィルム状回路基板への透光性板の接着を仮接着とすることができる。このため、これらの接着剤では接着強度の耐久性等は重要視しなくてよいので、これらの接着剤の選択の自由度を広げることができる。さらに、透光性板の側面部まで封止することにより、封止樹脂９を遮光性のものにすれば、透光性板の側面からの不要な外光の入射を遮断することができる。この結果、撮像装置の光学性能を向上させることが可能となる。
【００６６】
（実施の形態８）
図２０は、実施の形態８における撮像装置の受光集合体を示す側面図である。また、図２１は正面図である。本実施の形態の撮像装置では、撮像装置の後面部には上記実施の形態７における封止樹脂９を配置せず、ベア状態とし、強度を補強するために補強プレート１０に上記後面を接着する。図２２は、後面部をベア状態として側周部を樹脂で封止した撮像装置の断面図である。また、図２３（ａ）は、上記封止樹脂によって側周部を封止された撮像装置の正面図である。同図において、インターフェース部１ｄは、封止樹脂から突き出して外に延びている。また、図２３（ｂ）は、背面図である。
【００６７】
上記の補強プレートとしては、例えば、メタルプレートまたは樹脂成形によって得ることができる。通常、上記実施の形態７に示した封止樹脂９の厚みより薄くすることができる。また、封止樹脂９は、通常、金型を用いた成形モールド法により形成することができる。しかし、本実施の形態におけるように封止樹脂９を構成するには、成形金型内での撮像装置の基準が透光性板の表面だけとなる。このため、モールド成形における射出ゲート部の位置や射出圧力によっては、封止樹脂９と撮像装置の相対位置にばらつきを生じる場合がある。しかしながら、本実施の形態８の構成を採用することにより、成形金型内における基準を透光性板表面と撮像素子の裏面とにすることができる。このため、成形金型内でのがたつきを低減でき、封止樹脂と撮像装置との相対位置のばらつきを軽減することができる。また、上述のように、撮像装置の薄型化と光学性能の向上とを得ることができる。
【００６８】
（実施の形態９）
図２４は、本実施の形態における撮像装置を示す図である。結像レンズ１１はレンズマウント１２によって支持され、透光性板３の前方に配置される。側周部を封止樹脂によって封止された受光集合体は、ベア状態の撮像素子の後面を、補強プレート１０にダイボンドされている。レンズマウントには、位置決め用凸部（位置決め部）１２ａが形成されており、その位置決め用凸部は上記の補強プレート１０のレンズマウント位置決め部に係止されている。図２５は、補強プレート１０とその補強プレート１０に固定された封止樹脂で側周部が封止された上記受光集合体とを示す正面図である。補強プレート１０には、上記位置決め用凸部１２ａが係止される係止凹部（レンズマウント位置決め部）１０ａが設けられている。また、図２６は、図２４に示したレンズマウント１２を後面側から見た図である。位置決め用凸部１２ａは、相互にレンズマウントの側辺に沿って並ばないように配置され、上記位置決め係止が不安定にならないように配慮している。
【００６９】
上記構造の採用により、位置決め係止がなされた後、平面的に見て、結像レンズ１１は、受光部２ａの領域内の中央部に精度良く位置するように配置される。このため、撮像装置を容易に、かつ精度良く組み立てることができる。
【００７０】
（実施の形態１０）
図２７は、実施の形態１０における撮像装置が製品（例えば、携帯電話機）に搭載された状態を示す図である。本撮像装置は、封止樹脂９で封止された受光集合体を固定している補強プレート１０が、製品基板１３に設けられた撮像装置取付部１４に取り付けられている。上記の撮像装置取付部（突出部）１４は、製品基板に予め表面実装により配置される。図２８は、補強プレート１０上に封止樹脂９で封止された受光集合体を固定した状態の正面図である。上記補強プレート１０には、上記撮像装置取付部である突出部１４が嵌め入れられる取付孔１０ｂが２つ配置されている。また、図２９は、製品基板１３の正面図である。製品基板１３の所定の位置に、撮像装置の位置決めの機能も備える突出部１４が表面実装により配置されている。この位置決め用実装部品（突出部）１４は、製品基板１３に表面実装するための平坦部と、その平坦部から突き出た凸部とを有する。この凸部が、補強プレートに設けられた取付孔１０ｂに嵌め入れられる。
【００７１】
上記の位置決め用実装部品１４の形成により、撮像装置を製品内の所定の位置に再現性良く高精度で容易に配置することができる。また、撮像装置を表面実装する必要がなくなり、例えば、はんだ実装をする必要がなくなり、撮像装置が高温に加熱されることがなくなる。このため、撮像装置の構成部品の選定の自由度が広がり、例えば、プラスチックレンズやプラスチック製の透光性板などを使用できる。この結果、高価な光学ガラス材を使用する制限がなくなり、撮像装置の低価格化を実現することが可能となる。
【００７２】
（実施の形態１１）
図３０は、実施の形態１１における撮像装置を示す図である。図３０（ａ）は封止樹脂で封止された上記集合体が補強プレート１０に固定された状態の断面図である。また、図３０（ｂ）は上記撮像装置を補強プレートの後面側から見た背面図である。補強プレート１０には、撮像装置固定用孔１０ｃが開けられ、上記孔に補強プレートの後面側から接着剤１５が配置され、撮像素子の後面と上記孔の側壁とが接着固定される。
【００７３】
上記構造の採用により、撮像素子２と補強プレートとの間に接着剤が介在して、撮像素子と補強プレートとの間の間隔がばらつくことを防止でき、かつ薄型化を推進することもできる。また、撮像素子の後面から接着剤に光を当てることができるので、接着剤として紫外線硬化剤を使用することができる。このため、接着剤の硬化時間等を短縮することができるので、製造コスト削減が可能となる。
【００７４】
（実施の形態１２）
図３１は、実施の形態１２における撮像装置を示す図である。本実施の形態では、補強プレート１０に凹状の減肉部である撮像装置収納領域１０ｄを設け、その縁に位置決め用段差部１０ｅを形成する。撮像装置における撮像素子２のベア状態の側面を前記段差部の壁に当接させることにより、補強プレート１０に対する撮像素子の相対位置を精度良く出すことができる。すなわち、図３２（ａ），（ｂ）に示すように、上記集合体は、補強プレート１０に設けた凹状の撮像装置収納領域１０ｄ内に配置される。上記撮像装置収納領域の壁１０ｅは、基準面となるように精度良く面出しされている。次に、図３３に示すように、撮像装置は矢印で示される方向にスライドされ、撮像素子の側面が上記壁１０ｅに当接するように組み立てられる。上記撮像素子の側面２は、撮像素子２がウエハから切り出されて個片化される工程において、ダイシングにより高精度が確保されている。
【００７５】
上記構造の採用により、認識装置など用いることなく、撮像装置を補強プレート上に精度良く組み立てることが可能となる。
【００７６】
（実施の形態１３）
図３４は、実施の形態１３における撮像装置を示す図である。同図において、撮像装置収納ホルダ１６は、撮像装置が搭載される製品側に予め固定されている。上記撮像素子等を含む集合体を固定している補強プレートからは、上記撮像装置収納ホルダ１６に嵌め合わされる固定用の係止爪１０ｆが、スプリング機能を有するように延びるように成形されている。図３５は、補強プレートに固定された撮像素子等を示す正面図である。固定用の係止爪１０ｆは補強プレート側辺から垂直方向に４箇所でフォーミングされている。また、図３６は、上記撮像装置収納ホルダの正面図である。撮像装置収納ホルダ１６の側壁に上記係止爪１０ｆが嵌め合わされる撮像装置係止部である取付凹部１６ａが設けられている。上記のように、係止爪１０ｆを撮像装置収納ホルダ１６の取付凹部（撮像装置係止部）１６ａに嵌め合わせると、上記固定用爪部１０ｆのスプリング効果により、撮像装置が撮像装置収納ホルダに保持される。
【００７７】
上記構造により、撮像装置ホルダに複雑な成形手順によって固定用爪部を設ける必要がなく、容易に成形することができる。また、撮像装置の位置決めが容易になる。
【００７８】
（実施の形態１４）
図３７は、本実施の形態における撮像装置の断面図であり、また、図３８は、結像レンズ付きレンズマウントを封止樹脂から引き離した状態の模式図である。図３８において、封止樹脂９にはレンズマウント位置決め凸部（レンズマウント位置決め部）９ａが一体的に設けられ、レンズマウント１２には、レンズマウントと一体的に設けられた位置決め用凹部（位置決め部）１２ｂである。上記のレンズマウント位置決め凸部９ａは、成形金型により、封止樹脂上に一体的に設けることができ、同様に、位置決め用凹部１２ｂもレンズマウントの成形金型により一体的に設けることができる。上記の構造において、結像レンズを有するレンズマウントはその位置決め用凹部１２ｂにレンズマウント位置決め凸部９ａが嵌め入れられ、組み立てられる。上記の構造により、レンズマウントと撮像装置の組み立てが容易になり、かつ相対位置も安定して精度良く組み立てることが可能となる。
【００７９】
（実施の形態１５）
図３９は、実施の形態１５における撮像装置を示す図である。また、図４０は、本実施の形態の撮像装置において、結像レンズ付きレンズマウントを封止樹脂から引き離した状態を示す図である。本実施の形態の撮像装置では、透光性板を大きめのサイズにして、レンズマウントと撮像装置とを上記嵌合せ構造により一体化したとき、レンズマウントの当接面が透光性板上面に当るようにされている。
【００８０】
この構造の採用により、前述の実施の形態１４の機能を有するとともに、結象レンズから透光性板上面までの距離を、容易に高精度で組み立てることができる。
【００８１】
（実施の形態１６）
図４１は、実施の形態１６における撮像装置を示す図である。また、図４２は、製品基板１３から本撮像装置を引き離した状態の図である。本実施の形態では、製品基板１３に位置決めの機能も兼ね備える撮像装置取付部である撮像装置取付用凹部１３ａを予め設けておき、撮像装置の封止樹脂に一体的に設けられた取付部である凸部９ａを、その撮像装置取付用凹部１３ａに嵌め合せて組み立てる。図４１において、撮像素子２の後面と製品基板１３とは接着剤によって一体化されている。この構造の採用により、撮像装置を製品基板上の所定の位置において、容易に安定して組み立てることが可能となる。
【００８２】
上記において、本発明の実施の形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含む。
【００８３】
【発明の効果】
本発明におけるフィルム状回路基板と透光性板と撮像素子との構成を用いることにより、製造手順や取扱いが簡明な、薄型化、小型化をはかった撮像装置および撮像装置搭載製品、特に携帯電話機、ならびに撮像装置の製造方法を提供することが可能となる。
【図面の簡単な説明】
【図１】（ａ）実施の形態１における撮像装置の受光集合体の正面図である。（ｂ）その縦断面図である。
【図２】（ａ）図１のフィルム状回路基板の正面図である。（ｂ）図１の撮像素子の正面図である。
【図３】図１における、フィルム状回路基板にフェースダウンで撮像素子を実装した状態の正面図である。
【図４】図１におけるＩＶ−ＩＶ断面図である。
【図５】（ａ）実施の形態２において、フィルム状回路基板に透光性板（光学ガラス板）を接着した状態の正面図である。（ｂ）その縦断面図である。
【図６】実施の形態２において、透光性板を接着されたフィルム状回路基板に撮像素子をフェースダウンで実装する手順を示す図である。
【図７】実施の形態３における撮像装置の受光集合体の正面図である。
【図８】（ａ）図７の状態から透光性板を除いた状態の正面図である。（ｂ）透光性板の正面図である。
【図９】図７におけるＩＸ−ＩＸ断面図である。
【図１０】実施の形態３におけるゴム弾性体の別の例を示す図である。
【図１１】（ａ）実施の形態４における撮像装置の受光集合体の例を示す図である。（ｂ）図１１（ａ）と類似したゴム弾性体の例を示す図である。
【図１２】実施の形態５における撮像装置の受光集合体の横断面図である。
【図１３】図１２の状態から透光性板とスペーサ部材とを引き離して置いた状態の模式図である。
【図１４】実施の形態５における受光集合体を組み立てる手順を示す図である。（ａ）フィルム状回路基板に撮像素子をフェースダウンで実装した状態の正面図である。（ｂ）スペーサ部材の正面図である。（ｃ）撮像素子が実装されたフィルム状回路基板にスペーサ部材を配置した状態の正面図である。（ｄ）図１４（ｃ）の状態に透光性板を接着して受光集合体を完成した段階の正面図である。
【図１５】実施の形態６における撮像装置の受光集合体の横断面図である。
【図１６】図１５の状態から透光性板を引き離して置いた状態の模式図である。
【図１７】（ａ）実施の形態６における透光性板の正面図である。（ｂ）その側面図である。
【図１８】実施の形態６の受光集合体を組み立てる手順を示す図である。（ａ）受光集合体から透光性板を取り除いた状態の正面図である。（ｂ）透光性板の正面図である。（ｃ）透光性板を配置して、実施の形態６における受光集合体を完成した段階の正面図である。
【図１９】（ａ）実施の形態７における撮像装置の側面図である。（ｂ）実施の形態７における撮像装置の横断面図である。
【図２０】実施の形態８における撮像装置の側面図である。
【図２１】実施の形態８における撮像装置の正面図である。
【図２２】（ａ）図２０から補強プレートを取り除いた状態の側面図である。（ｂ）実施の形態８における撮像装置の受光集合体の横断面図である。
【図２３】（ａ）図２２（ａ）の正面図である。（ｂ）図２２（ａ）の背面図である。
【図２４】実施の形態９における撮像装置を示す側面図である。
【図２５】図２４に示す撮像装置からレンズマウントを取り除いた状態を示す正面図である。
【図２６】結像レンズが取り付けられたレンズマウントの後面図である。
【図２７】実施の形態１０において、製品基板に撮像装置の受光集合体を取り付けた段階の側面図である。
【図２８】図２７における受光集合体の正面図である。
【図２９】図２７に示す製品基板に設けられた撮像装置取付部の正面図である。
【図３０】（ａ）実施の形態１１における撮像装置の受光集合体の部分断面図である。（ｂ）図３０（ａ）の補強プレートの正面図である。
【図３１】実施の形態１２における撮像装置の受光集合体の部分断面図である。
【図３２】実施の形態１２の撮像装置を組み立てる手順を示す図である。
【図３３】実施の形態１２の撮像装置を組み立てにおいて、撮像素子を補強プレートの段差部の壁に当接する手順を示す図である。
【図３４】実施の形態１３において、製品基板に設けられた撮像装置ホルダに受光集合体を配置した状態を示す図である。
【図３５】補強プレートを備えた受光集合体の正面図である。
【図３６】撮像装置ホルダの正面図である。
【図３７】実施の形態１４における撮像装置を示す図である。
【図３８】図３７の状態からレンズマウントを引き離して置いた状態を示す模式図である。
【図３９】実施の形態１５における撮像装置を示す図である。
【図４０】図３９の状態からレンズマウントを引き離して置いた状態を示す模式図である。
【図４１】実施の形態１６において、製品基板に設けた封止樹脂取付部に受光集合体封止樹脂の取付部を取り付けた状態を示す図である。
【図４２】図４１の状態から、受光集合体を引き離した状態を示す模式図である。
【図４３】従来の撮像装置の受光集合体を示す正面図である。
【図４４】図４３におけるＩＶＩＶ−ＩＶＩＶ断面図である。
【図４５】従来の別の撮像装置の受光集合体の断面図である。
【図４６】図４５における回路基板の斜視図である。
【符号の説明】
１  フィルム状回路基板、１ａ  開口部、１ｂ  配線、１ｃ  インターフェース部、１ｄ  インターフェース部の後面、２  撮像素子、２ａ  受光面、２ｂ  撮像素子の入出力端子、２ｃ  スペーサ部材がのる撮像素子前面部分、２ｄ  撮像素子の後面、３  透光性板、３ａ  透光性板と一体成形されたスペーサ部材、４  入出力端子上に設けたバンプ、５  異方性導電膜（ＡＣＦ）、６  接着剤、７  ゴム弾性体、８  スペーサ部材、９  封止樹脂、９ａ  レンズマウントに嵌め入れられる封止樹脂突出部、１０  補強プレート、１０ａ  レンズマウント位置決め部、１０ｂ  製品基板の取付部に取り付けられる補強プレート側の取付部、１０ｃ  補強プレートの取付孔、１０ｄ  平坦減肉部、１０ｅ  段差部の壁、１０ｆ  補強プレートから突出する爪部、１１  結像レンズ、１２  レンズマウント、１２ａ  レンズマウント側の位置決め部、１２ｂ  レンズマウント側の位置決め部、１３  製品基板、１３ａ  製品基板に設けられた撮像装置取付部、１４  製品基板に設けた撮像装置取付部、１５  接着剤、１６  製品基板に設けられた撮像装置ホルダ、１６ａ  補強プレートから突き出る爪部が係止する係止部、１７  接着剤。
【図１】
0003626661.tif 000002
【図２】
0003626661.tif 000003
【図３】
0003626661.tif 000004
【図４】
0003626661.tif 000005
【図５】
0003626661.tif 000006
【図６】
0003626661.tif 000007
【図７】
0003626661.tif 000008
【図８】
0003626661.tif 000009
【図９】
0003626661.tif 000010
【図１０】
0003626661.tif 000011
【図１１】
0003626661.tif 000012
【図１２】
0003626661.tif 000013
【図１３】
0003626661.tif 000014
【図１４】
0003626661.tif 000015
【図１５】
0003626661.tif 000016
【図１６】
0003626661.tif 000017
【図１７】
0003626661.tif 000018
【図１８】
0003626661.tif 000019
【図１９】
0003626661.tif 000020
【図２０】
0003626661.tif 000021
【図２１】
0003626661.tif 000022
【図２２】
0003626661.tif 000023
【図２３】
0003626661.tif 000024
【図２４】
0003626661.tif 000025
【図２５】
0003626661.tif 000026
【図２６】
0003626661.tif 000027
【図２７】
0003626661.tif 000028
【図２８】
0003626661.tif 000029
【図２９】
0003626661.tif 000030
【図３０】
0003626661.tif 000031
【図３１】
0003626661.tif 000032
【図３２】
0003626661.tif 000033
【図３３】
0003626661.tif 000034
【図３４】
0003626661.tif 000035
【図３５】
0003626661.tif 000036
【図３６】
0003626661.tif 000037
【図３７】
0003626661.tif 000038
【図３８】
0003626661.tif 000039
【図３９】
0003626661.tif 000040
【図４０】
0003626661.tif 000041
【図４１】
0003626661.tif 000042
【図４２】
0003626661.tif 000043
【図４３】
0003626661.tif 000044
【図４４】
0003626661.tif 000045
【図４５】
0003626661.tif 000046
【図４６】
0003626661.tif 000047